(57)【要約】      （修正有）【課題】手指等を使用することなく、かつ、液噴霧容器内の液の量の多少にかかわらず、足踏み時の操作安定性に優れた機能を発揮する簡略構成の液噴霧容器用の足踏み式スタンドを提供する。【解決手段】上部に設けた噴霧ノズル３２の押圧部３３の押下により内部に収容した液Ｌを噴霧ノズル３２から外方に噴霧する液噴霧容器Ｂを、足踏みで噴霧操作する液噴霧容器用の足踏み式スタンド１であって、噴霧ノズル３２の近傍に手等を翳し足踏みペダル１１を踏み、足踏み力伝達体１２を移動させて踏み込み力を押圧片１２ａに作用させ押圧部３３を押し下げることで、噴霧ノズル３２から液Ｌを外方にスプレー状に噴霧させ、足踏みペダル１１に対する踏み込み解除時に、元位置復帰用バネ体１６により足踏み力伝達体１２、押圧片１２ａ、押圧部３３を元位置へ復元させる構成としたものである。【選択図】図４
0003227870.tif 000002
【実用新案登録請求の範囲】
【請求項１】
上部に設けた噴霧ノズルの押圧部の押下により内部に収容した液、すなわち、消毒液、アルコール洗浄液、液状せっけん液、各種消毒剤液、各種除菌液、殺虫剤液の内から選ばれるいずれかの液を、前記噴霧ノズルから外方に噴霧する液噴霧容器を、足踏みで噴霧操作する液噴霧容器用の足踏み式スタンドであって、
設置面上に配置するスタンド基台と、
前記スタンド基台からその上方に向けて立設され、前記液噴霧容器を定位置に支持する載置板を備える液噴霧容器用支持筒体と、
前記スタンド基台上で前記液噴霧容器用支持筒体の側面開口部からその内部に至るように配置した足踏み、足踏み解除により変位する足踏みペダルと、前記液噴霧容器用支持筒体に配置されるとともに、前記噴霧ノズルの押圧部に当接させる押圧片を上部に備え、この押圧片と一体で前記液噴霧容器用支持筒体内に延設され、下端部に設けた移動板、連結部材を介して前記足踏みペダルの端部に連結した足踏み、足踏み解除により液噴霧容器用支持筒体内を移動する足踏み力伝達体と、を具備する足踏み力伝達機構部と、
前記液噴霧容器用支持筒体内で、一端を前記液噴霧容器用支持筒体に固定連結し、他端を前記移動板に連結して、前記足踏みペダル、前記足踏み力伝達体に対して足踏み前の元位置側への付勢力を付与する元位置復帰用バネ体と、
を有することを特徴とする液噴霧容器用の足踏み式スタンド。
【請求項２】
上部に設けた噴霧ノズルの押圧部の押下により内部に収容した液、すなわち、消毒液、アルコール洗浄液、液状せっけん液、各種消毒剤液、各種除菌液、殺虫剤液の内から選ばれるいずれかの液を前記噴霧ノズルから外方に噴霧する液噴霧容器を、足踏みで噴霧操作する液噴霧容器用の足踏み式スタンドであって、
設置面上に配置するスタンド基台と、
前記スタンド基台から立設した下部固定ブロック筒体と、前記下部固定ブロック筒体内からその上方に向けて突設するとともに前記液噴霧容器を定位置に支持する載置板を備える上部中空筒体と、前記下部固定ブロック筒体の外周、上部中空筒体の一部を覆うカバー体と、からなる液噴霧容器用支持筒体と、
前記スタンド基台上でカバー体の側面開口部からその内部に至るように配置した足踏み、足踏み解除により変位する足踏みペダルと、前記噴霧ノズルの押圧部に当接させる押圧片を上部に備え、この押圧片と一体で前記上部中空筒体を貫通して前記下部固定ブロック筒体内まで延設し、下端部を前記噴霧容器用支持筒体内に設けた移動板、連結部材を介して前記足踏みペダルの端部に連結し足踏み、足踏み解除により液噴霧容器用支持筒体内を移動する足踏み力伝達体と、を具備する足踏み力伝達機構部と、
前記液噴霧容器用支持筒体内で、一端を前記上部中空筒体の外周に固定し、他端を前記移動板に連結して、前記足踏みペダル、前記足踏み力伝達体に対して足踏み前の元位置側への付勢力を付与する元位置復帰用バネ体と、
を有することを特徴とする液噴霧容器用の足踏み式スタンド。
【請求項３】
前記載置板は、この載置板に対して側方向で挿脱可能に配置した液受けトレイを更に備えることを特徴とする請求項１又は２に記載の液噴霧容器用の足踏み式スタンド。
【請求項４】
前記載置板の位置は、正面視で左側にずらして設置構成されるとともに、当該載置板は、上下位置に調節可能な構成としていることを特徴とする請求項１又は２に記載の液噴霧容器用の足踏み式スタンド。
【考案の詳細な説明】
【技術分野】
【０００１】
本考案は、液噴霧容器用の足踏み式スタンドに関し、詳しくは、液噴霧容器の内部に収容した例えば消毒液（その他アルコール洗浄液、液状せっけん液、各種消毒剤液、各種除菌液、各種殺虫剤液等のような各種の液）の噴霧を、手指等を使用することなく、足踏み操作によって噴霧ノズルから簡略容易に外方に噴霧可能とした衛生面で優れた液噴霧容器用の足踏み式スタンドに関するものである。
【背景技術】
【０００２】
昨今、新型コロナウイルスやインフルエンザウイルス等のウイルスによる感染症を予防するために、病院、役所、商店等の各種施設やオフィスの出入口にポンプ式の消毒液ボトルが置かれていることが一般的である。
【０００３】
ポンプ式の消毒液ボトルは、建物に入るときに、噴霧ノズルの付いた頭頂部を手指で押圧することにより、消毒液を噴霧するため、手を消毒し、ウイルスの持ち込みを防止して衛生管理を充実させることに寄与している。
ところで、ポンプ式の消毒液ボトルは、多くの人が頭頂部を押圧するため、頭頂部が汚染される虞がある。
そこで、頭頂部を手で触ることなく、足踏み式で消毒液を噴霧できる消毒装置が要望されている。
【０００４】
特許文献１には、この種の足踏み式の消毒装置として、縦長状の台座部と、台座部上に配設し、消毒液ボトルを載置するための置き台と、台座部と連結し、消毒液ボトルを収納するためのカバー部と、足踏みペダル部と、動作変換機構とを備え、この動作変換機構により前記カバー部の天壁と置き台との間で消毒液ボトルを加圧するために、足踏みペダル部を踏み込む動作を、置き台を押し上げる動作に変換するように構成した消毒装置が提案されている。
【０００５】
しかし、特許文献１の消毒装置の場合、足踏み式の動作変換機構により置き台とともに消毒液ボトルをカバー部の天壁側に押し上なければならず、この結果、消毒液ボトル内の液の量の多少によってその重量が一定ではないことから、足踏み操作力も一定ではなくなり、足踏み時の操作安定性に欠けると推定される。
【先行技術文献】
【特許文献】
【０００６】
【特許文献１】特開２０１５−１００４５４号公報
【考案の概要】
【考案が解決しようとする課題】
【０００７】
本考案は、従来における上記事情に鑑みて開発されたものであり、手指等を使用することなく、かつ、液噴霧容器内の液の量の多少にかかわらず足踏み時の操作安定性に優れた機能を発揮する簡略構成の液噴霧容器用の足踏み式スタンドを提供するものである。
【課題を解決するための手段】
【０００８】
本考案に係る液噴霧容器用の足踏み式スタンドは、上部に設けた噴霧ノズルの押圧部の押下により内部に収容した液を前記噴霧ノズルから外方に噴霧する液噴霧容器を、足踏みで噴霧操作する液噴霧容器用の足踏み式スタンドであって、設置面上に配置するスタンド基台と、前記スタンド基台からその上方に向けて立設され、前記液噴霧容器を定位置に支持する載置板を備える液噴霧容器用支持筒体と、前記スタンド基台上で前記液噴霧容器用支持筒体の側面開口部からその内部に至るように配置した足踏み、足踏み解除により変位する足踏みペダルと、前記液噴霧容器用支持筒体に配置されるとともに、前記噴霧ノズルの押圧部に当接させる押圧片を上部に備え、この押圧片と一体で前記液噴霧容器用支持筒体内に延設され、下端部に設けた移動板、連結部材を介して前記足踏みペダルの端部に連結した足踏み、足踏み解除により液噴霧容器用支持筒体内を移動する足踏み力伝達体と、を具備する足踏み力伝達機構部と、前記液噴霧容器用支持筒体内で、一端を前記液噴霧容器用支持筒体に固定連結し、他端を前記移動板に連結して、前記足踏みペダル、前記足踏み力伝達体に対して足踏み前の元位置側への付勢力を付与する元位置復帰用バネ体と、を有することを最も主要な特徴とする。
【考案の効果】
【０００９】
請求項１記載の考案によれば、手指等を使用することなく、かつ、液噴霧容器内の液の量の多少にかかわらず足踏み時の操作安定性に優れた機能を発揮しかつ衛生面に優れ、足踏み解除時に自動的に足踏みペダル、足踏み力伝達体、噴霧ノズルの押圧部を元位置へ復元できる簡略構成の液噴霧容器用の足踏み式スタンドを実現し提供することができる。
【００１０】
請求項２記載の考案によれば、請求項１に記載の考案と同様、手指等を使用することなく、かつ、液噴霧容器内の液の量の多少にかかわらず足踏み時の操作安定性に優れた機能を発揮しかつ衛生面に優れた簡略構成の液噴霧容器用の足踏み式スタンドを実現し提供することができる。
【００１１】
請求項３記載の考案によれば、請求項１又は２に記載の考案と同様な効果を奏し、かつ、噴霧される液のうち手等の消毒に供されないものは液受けトレイ内に貯留されることになり、液噴霧容器用の足踏み式スタンドのスタンド基台周辺の床面等が前記液で濡れてしまうという不都合な事態を回避することもできる液噴霧容器用の足踏み式スタンドを実現し提供することができる。
【００１２】
請求項４記載の考案によれば、請求項１又は２に記載の考案と同様な効果を奏し、かつ、前記載置板の位置を正面視で左側にずらして設置構成していることから、この種の従来装置においては、足でペダルを踏む際に、ボトルテーブルが正面に位置して構成されていたのでペダルが踏みにくい状態であったが、本考案では、ペダルをスムーズに踏めることができ、また、載置板を上下位置に調節可能な構成としているので、使用に際して一層至便なものとなる。
【図面の簡単な説明】
【００１３】
【図１】図１は本考案の実施例に係る液噴霧容器用の足踏み式スタンドの外観斜視図である。
【図２】図２は本実施例に係る液噴霧容器用の足踏み式スタンドの概略正面図である。
【図３】図３は本実施例に係る液噴霧容器用の足踏み式スタンドの概略平面図である。
【図４】図４は本考案の実施例に係る液噴霧容器用の足踏み式スタンドの概略側面図である。
【図５】図５は本実施例に係る液噴霧容器用の足踏み式スタンドの液噴霧時の動作説明図である。
【考案を実施するための形態】
【００１４】
本考案は、手指等を使用することなく、かつ、液噴霧容器内の液の量の多少にかかわらず、足踏み時の操作安定性に優れた機能を発揮する簡略構成の液噴霧容器用の足踏み式スタンドを提供するという目的を、上部に設けた噴霧ノズルの押圧部の押下により内部に収容した液を前記噴霧ノズルから外方に噴霧する液噴霧容器を、足踏みで噴霧操作する液噴霧容器用の足踏み式スタンドであって、設置面上に配置するスタンド基台と、前記スタンド基台から立設した下部固定ブロック筒体と、前記下部固定ブロック筒体内からその上方に向けて突設するとともに前記液噴霧容器を定位置に支持する載置板を備える上部中空筒体と、前記下部固定ブロック筒体の外周、上部中空筒体の一部を覆うカバー体と、からなる液噴霧容器用支持筒体と、前記スタンド基台上でカバー体の側面開口部からその内部に至るように配置した足踏み、足踏み解除により変位する足踏みペダルと、前記噴霧ノズルの押圧部に当接させる押圧片を上部に備え、この押圧片と一体で前記上部中空筒体を貫通して前記下部固定ブロック筒体内まで延設し、下端部を前記噴霧容器用支持筒体内に設けた移動板、連結部材を介して前記足踏みペダルの端部に連結し足踏み、足踏み解除により液噴霧容器用支持筒体内を移動する足踏み力伝達体と、を具備する足踏み力伝達機構部と、前記液噴霧容器用支持筒体内で、一端を前記上部中空筒体の外周に固定し、他端を前記移動板に連結して、前記足踏みペダル、前記足踏み力伝達体に対して足踏み前の元位置側への付勢力を付与する元位置復帰用バネ体と、を有する構成により実現した。
【実施例】
【００１５】
以下、図面を参照して、本考案の実施例に係る液噴霧容器用の足踏み式スタンドについて詳細に説明する。
【００１６】
本実施例に係る液噴霧容器用の足踏み式スタンド１は、図１乃至図４に示すように、上部に設けた噴霧ノズル３２の押圧部３３の押下により内部に収容した液Ｌを前記噴霧ノズル３２から外方に噴霧する液噴霧容器Ｂを、足踏み式で操作するものである。
【００１７】
本考案の液噴霧容器用の足踏み式スタンド１における噴霧対象としては、例えば、消毒液は勿論、その他アルコール洗浄液、液状せっけん液、各種消毒剤液、各種除菌液、各種殺虫剤液等のような各種の液を挙げることができる。
【００１８】
すなわち、本実施例に係る液噴霧容器用の足踏み式スタンド１は、設置面上に配置する平面視四角形状のスタンド基台２と、前記スタンド基台２から立設した中空筒状の下部固定ブロック筒体４と、前記下部固定ブロック筒体４内からその上方に向けて突設するとともに前記液噴霧容器Ｂを定位置に支持する載置板（ボトルテーブル）６を備える上部中空筒体５と、前記下部固定ブロック筒体４の外周、上部中空筒体５の一部を覆うカバー体８とからなる液噴霧容器用支持筒体３と、を有している。
【００１９】
なお、前記載置板（ボトルテーブル）６の位置は、正面視で左側にずらして設置構成している。この種の従来装置の構成では、足でペダルを踏む際に、ボトルテーブルが正面に位置して構成されていたのでペダルを踏みにくい状態であったが、本考案では、載置板（ボトルテーブル）６を正面視で左側にずらして設置構成したことにより、ペダルをスムーズに踏めるようになっている。
【００２０】
前記載置板６は、上面に平坦な上面板６ａを具備するとともに上面板６ａの下部に液受けトレイ用受枠部６ｂを設けた構成としている。
【００２１】
そして、前記トレイ用受枠部６ｂに対して側方向から挿脱可能な四角受け盆状の液受けトレイ７を備えている。
【００２２】
なお、図４に示すように、蝶ボルト６ｃ、ナット６ｄを用いて前記載置板６を上下位置に調節可能な構成としているので、本考案に係る液噴霧容器用の足踏み式スタンド１は使用に際して一層至便なものとなる。
【００２３】
本実施例に係る液噴霧容器用の足踏み式スタンド１は、更に、前記スタンド基台２上でカバー体８の側面開口部からその内部の前記下部固定ブロック筒体４の外壁近傍に至るように配置した足踏み、足踏み解除により変位する足踏みペダル１１と、足踏み力伝達体１２と、を含む足踏み力伝達機構部１３を有している。
【００２４】
前記足踏み力伝達機構部１３は、前記スタンド基台２上でカバー体８の側面開口部からその内部に至るように配置した足踏み、足踏み解除により変位する足踏みペダル１１と、前記噴霧ノズル３２の押圧部３３に当接させる押圧片１２ａを上部に備え、この押圧片１２ａと一体で前記上部中空筒体５を貫通して前記下部固定ブロック筒体４内まで延設し、下端部を前記液噴霧容器用支持筒体３内に設けた移動板１４、プレート状の連結部材１５を介して前記足踏みペダル１１の端部に連結し、足踏みペダル１１の足踏み、足踏み解除に連動して前記液噴霧容器用支持筒体３内を上下に移動する足踏み力伝達体１２と、を具備している。
【００２５】
なお、前記押圧部３３に当接させる押圧片１２ａ（換言するとボトルプッシュ金具）によって、液噴霧容器Ｂの定位置と噴霧ノズル３２のずれを防止している。
【００２６】
本実施例に係る液噴霧容器用の足踏み式スタンド１は、更に、前記液噴霧容器用支持筒体３内で、前記上部中空筒体５の外周に例えば固定平板を用いて一端を固定し、前記移動板１４に他端を連結して、前記足踏みペダル１１、前記足踏み力伝達体１２に対して足踏み前の元位置（図４に示す位置）側へ戻るための付勢力を付与する元位置復帰用バネ体１６を有している。
【００２７】
図５は、本実施例に係る液噴霧容器用の足踏み式スタンド１の液噴霧時の動作を示すものであり、以下に主に図４、図５を参照して説明する。
【００２８】
初期状態として、内部にアルコール消毒液等の液Ｌを収容した液噴霧容器Ｂを前記載置板６上に設置し、前記足踏み力伝達体１２の押圧片１２ａを液噴霧容器Ｂにおける噴霧ノズル３２の押圧部３３に当接させた状態にあるものとして以下の説明を行う。
【００２９】
この状態で、液噴霧容器用の足踏み式スタンド１を使用して手等の消毒を行おうとする使用者が、前記噴霧ノズル３２の近傍に手等を翳し前記足踏みペダル１１を踏み、踏み込み力を足踏みペダル１１に作用させると、この踏み込み力は前記足踏みペダル１１から連結部材１５を経て移動板１４に伝達され、これにより移動板１４及び足踏み力伝達体１２が図５に示すように下降する。
【００３０】
この結果、前記押圧片１２ａが押圧部３３を押し下げ、前記液Ｌは前記噴霧ノズル３２から外方にスプレー状に噴霧されて、使用者は液噴霧容器Ｂに直接触ることなく前記足踏みペダル１１の踏み込み操作という簡略動作のみで、液噴霧容器Ｂ内の液Ｌの量の多少にかかわらず安定した操作状態の基に、かつ、衛生面に優れた態様で手等の消毒を行うことができる。
【００３１】
このとき、前記トレイ用受枠部６ｂに対して側方向から液受けトレイ７を装着しておくことにより、噴霧される液Ｌのうち手等の消毒に供されないものは液受けトレイ７内に貯留されることになり、液噴霧容器用の足踏み式スタンド１のスタンド基台２周辺の床面等が前記液Ｌで濡れてしまうという不都合な事態を回避することもできる。
【００３２】
手等の消毒終了後においては、前記足踏みペダル１１に対する踏み込み力を解除することで、元位置復帰用バネ体１６の弾性力により前記押圧片１２ａ、前記押圧部３３は、図４に示す元位置へ復元し、次の使用者の使用を待機する状態となる。
【産業上の利用可能性】
【００３３】
本考案の液噴霧容器用の足踏み式スタンドは、アルコール洗浄液、液状せっけん液、各種消毒剤液、各種除菌液、各種殺虫剤液等のような各種の液の噴霧を行う液噴霧容器用として広範に利用可能である。
【符号の説明】
【００３４】
１    液噴霧容器用の足踏み式スタンド
２    スタンド基台
３    液噴霧容器用支持筒体
４    下部固定ブロック筒体
５    上部中空筒体
６    載置板
６ａ  上面板
６ｂ  トレイ用受枠部
６ｃ  蝶ボルト
６ｄ  ナット
７    液受トレイ
８    カバー体
１１    足踏みペダル
１２    足踏み力伝達体
１２ａ  押圧片
１３    足踏み力伝達機構部
１４    移動板
１５    連結部材
１６    元位置復帰用バネ体
３２    噴霧ノズル
３３    押圧部
Ｂ    液噴霧容器
Ｌ    液
【図１】
0003227870.tif 000003
【図２】
0003227870.tif 000004
【図３】
0003227870.tif 000005
【図４】
0003227870.tif 000006
【図５】
0003227870.tif 000007